(57)【要約】【課題】スタック印刷の辺縁が滑らかな効果を備えるＵＶインクジェット印刷法を提供する。【解決手段】スタック印刷の辺縁が滑らかな効果を備えるＵＶインクジェット印刷法において、インクジェットヘッドは基材１上にイメージＸ（image Ｘ）２を印刷した後インクジェットヘッドと基材１表面の距離を不変に保持し、イメージＸ２を少なくとも一回双方向印刷し、上記ステップ完成後さらにインクジェットヘッドは基材１上のイメージＸ２上にイメージＸ’（image Ｘ’）３を印刷し、イメージＸ’３はイメージＸ２が外へと広がったピクセルで、イメージＸ’３はイメージＸ２上を完全に覆うことができ、イメージＸ２四周辺縁に滑らかな弧状面が形成される。【選択図】図１
2020006667.tif 000002
【特許請求の範囲】
【請求項１】
スタック印刷の辺縁が滑らかな効果を備えるＵＶインクジェット印刷法は、以下のステップを備え、
ステップａ：基材上に、インクジェットヘッドは、イメージＸ（image Ｘ）を印刷し、
ステップｂ：インクジェットヘッドと該基材表面の距離を不変に保持し、上述のイメージＸを、少なくとも一回、双方向印刷し、
ステップｃ：上述のステップ完成後、さらに該インクジェットヘッドは、上述の基材上のイメージＸ上に、イメージＸ’（image Ｘ’）を印刷し、
該イメージＸ’は、イメージＸが外へと広がったピクセルで、これにより該イメージＸ’は該イメージＸ上を完全に覆うことができ、こうして該イメージＸ四周辺縁には、滑らかな弧状面が形成されることを特徴とするスタック印刷の辺縁が滑らかなＵＶインクジェット印刷法。
【請求項２】
前記インクジェットヘッドは、単一或いは多数のアウトプットのインクジェットヘッドであることを特徴とする請求項１に記載のスタック印刷の辺縁が滑らかなＵＶインクジェット印刷法。
【請求項３】
前記ステップｃ中において、該インクジェットヘッドと基材表面の距離は、ステップｂと相同で、同様に不変を保持することを特徴とする請求項１に記載のスタック印刷の辺縁が滑らかなＵＶインクジェット印刷法。
【請求項４】
前記イメージＸ’は、イメージＸが外に広がったＺ個のピクセル（Ｚ≧１  pixel）の相似したイメージであることを特徴とする請求項１に記載のスタック印刷の辺縁が滑らかなＵＶインクジェット印刷法。
【発明の詳細な説明】
【技術分野】
【０００１】
本発明はスタック印刷の辺縁が滑らかな効果を備えるＵＶインクジェット印刷法に関し、特にスタック印刷を行う際に、出来上がりの印刷品の辺縁が滑らかな効果を備えるＵＶインクジェット印刷法に関する。
【背景技術】
【０００２】
ＵＶインクジェットは、異なる材質或いは厚みの多くの印刷物上に印刷することができ、印刷速度が速いばかりか、安定的で一定の印刷品質を達成でき、その信頼性が高い性能により、ユーザーは、色分離スクリーンを製作する作業と時間を節約でき、印刷を迅速に完成させられる。
【０００３】
水性、溶剤型、ラテックスインクに比べ、ＵＶ硬化インクの特性は、反応後に直ちに固化することで、しかも固化後は一定の厚みを備える。
そのため、この特性を利用し、ＵＶインクジェットはしばしばレリーフなどのスタック印刷し厚みを重ねる等の突出効果を備える、或いは３Ｄ印刷に類似の製品上に応用される。
印刷完成品のカラースケール変化を豊かにするため、色分離ソフトを用いて色分離処理を行う時には、被印刷画像のファイルの大きさと解析度に基づき、マルチパス（multi−pass）を行う。
これにより、インクジェットヘッドは、回を分けて被印刷データを印刷し、印刷物上に重ねてインクジェットし色をスタックする。
これにより、同一インクジェット位置に、各回の印刷行程で印刷されたインクポイントが累積され、マルチスケール印刷の効果を実現する。
【０００４】
しかし、一般のスタック印刷プロセスにより産生される印刷完成品辺縁は、しばしば滑らかでなく、特殊なニーズ或いは運用に応えることはできない。
現在市場で見られるＵＶ３Ｄ或いはレリーフ印刷の印刷技術では、スタック印刷時に生じる上述の印刷欠陥を回避することができず、よって印刷技術上には改善の余地がある。
【０００５】
よって、いかにしてＵＶインクジェットプリンターでスタック印刷を行う時に生じる上述の印刷欠陥を改善し、さらにＵＶインクジェットの印刷品質を高めるかは、本領域における技術人員と使用者が期待するところである。
【先行技術文献】
【特許文献】
【０００６】
【特許文献１】特開２０１０−４２６２７号公報
【発明の概要】
【発明が解決しようとする課題】
【０００７】
本発明の目的は、スタック印刷を行う際に、出来上がりの印刷品の辺縁が滑らかな効果を備えるＵＶインクジェット印刷法を提供することである。
【課題を解決するための手段】
【０００８】
本発明によるスタック印刷の辺縁が滑らかな効果を備えるＵＶインクジェット印刷法は、Ｎ個のインクジェットヘッドを備えるＵＶプリンターを利用し、基材上にＭ個のインクジェットヘッド（Ｎ≧Ｍ＞１）は同時に同一イメージＸ（image Ｘ）を印刷後、さらにＩ個のインクジェットヘッド（Ｎ≧Ｉ＞１）は該基材表面の相同位置に、しかもインクジェットヘッドと基材表面距離が不変を保持する条件下で、上述のイメージＸ（Ｋ≧１）をＫ回双方向印刷し、
上述のステップ完成後、さらにＪ個の（Ｎ＞Ｊ≧１）インクジェットヘッドは、基材表面と相同の距離を保持する条件下で、同時に上述の基材上の相同位置のイメージＸ上に、イメージＸ’（image Ｘ’）を印刷し、
該イメージＸ’は、イメージＸが外に広がったＺ個のピクセル（Ｚ≧１ ｐｉｘｅｌ）の相似したイメージで、
これにより、該イメージＸ’は該イメージＸ上を完全に覆うことができ、上述のすべてのステップ完成後、該イメージＸ四周辺縁は滑らかな弧状面を自然に形成する。
【発明の効果】
【０００９】
上述の設計を通して、該基材に印刷後に実現されるイメージにおいて、その辺縁は滑らかな弧状面を形成し、こうして３Ｄ或いはレリーフ印刷等特殊印刷製品に運用された後、製品の精度は向上し、使用者は快適な触感を得ることができる。
【図面の簡単な説明】
【００１０】
【図１】本発明実施例のフローチャートである。
【図２】本発明実施例実施時の連続動作状態模式図である。
【発明を実施するための形態】
【００１１】
本発明は、スタック印刷（積み上げた印刷）を行う際に、基材上に、インクジェットヘッドは、イメージＸ（image Ｘ）を印刷し、インクジェットヘッドと該基材表面の距離を不変に保持し、上述のイメージＸを、少なくとも一回、双方向印刷し、上述のステップ完成後、さらに該インクジェットヘッドは、上述の基材上のイメージＸ上に、イメージＸ’（image Ｘ’）を印刷し、該イメージＸ’は、イメージＸが外へと広がったピクセルで、これにより該イメージＸ’は該イメージＸ上を完全に覆うことができ、こうしてイメージＸ四周辺縁には、滑らかな弧状面が形成されスタック印刷の辺縁が滑らかな効果を備えるＵＶインクジェット印刷法を実現した。
【実施例】
【００１２】
図１、２は、本発明によるスタック印刷の辺縁が滑らかな効果を備えるＵＶインクジェット印刷法の実施例を示す。
【００１３】
本発明によるスタック印刷の辺縁が滑らかな効果を備えるＵＶインクジェット印刷法のプロセスは、以下のステップaからステップcの工程の順で実行する。
ステップａ：インクジェットヘッドは基材上にイメージＸ（image Ｘ）を印刷する。
ステップｂ：インクジェットヘッドと該基材表面の距離を不変に保持し、上述のイメージＸを、少なくとも一回、双方向印刷する。
ステップｃ：上述のステップ完成後、さらに該インクジェットヘッドは、上述の基材上のイメージＸ上に、イメージＸ’（image Ｘ’）を印刷する。
【００１４】
該インクジェットヘッドは、単一或いは多数のアウトプットのインクジェットヘッドである。
該イメージＸ’は、イメージＸが外へと広がったピクセルで、これにより該イメージＸ’は該イメージＸ上を完全に覆うことができ、こうして該イメージＸ四周辺縁には、滑らかな弧状面が形成される。
【００１５】
実施時には、図２に示すように、Ｎ個のインクジェットヘッドを備えるＵＶプリンターを利用し、基材１を、ＵＶインクジェットプリンターの印刷プラットフォーム上に置くと、該ＵＶインクジェットプリンターのＭ個のインクジェットヘッド（Ｎ≧Ｍ＞１）は、同時に同一のイメージＸ（image Ｘ）２を、該基材１上に印刷アウトプットすることができ(図２の上から１段目)、さらにＩ個のインクジェットヘッド（Ｎ≧Ｉ＞１）は、該基材１と相同位置で、しかもインクジェットヘッドと基材表面距離が不変を保持する条件下で、上述のイメージＸ（ｉｍａｇｅ  Ｘ）２を、該基材１上に、Ｋ回（Ｋ≧１）、双方向印刷し(図２の上から２段目)、これにより該基材１上のイメージＸ（image Ｘ）２は繰り返しスタックされ、しかも該基材１上で硬化し(図２の上から３段目)、上述のステップ完成後、さらにＪ個の（Ｎ＞Ｊ≧１）インクジェットヘッドは、上述の基材１上相同位置のイメージＸ（image Ｘ）２上に、イメージＸ’（image Ｘ’）３を印刷する(図２の上から４段目)。
該イメージＸ’（image Ｘ’）３は、該イメージＸ（image Ｘ）２が外へと広がったＺ個のピクセル（Ｚ≧１  pixel）の相似したイメージであるであるため完全に覆うことができ、これにより該イメージＸ（image Ｘ）２四周辺縁は滑らかな弧状面を自然に形成する。
【００１６】
上記を総合すると、上述の設計を通して、該基材に印刷後に実現されるイメージにおいて、その辺縁は滑らかな弧状面を形成し、こうして３Ｄ或いはレリーフ印刷等特殊印刷製品に運用された後、製品の精度は向上し、使用者は快適な触感を得ることができる。
【産業上の利用可能性】
【００１７】
本発明は特許登録の要件である新規性を備え、従来の同類製品に比べ十分な進歩を有し、実用性が高く、社会のニーズに合致しており、産業上の利用価値は非常に大きい。
【符号の説明】
【００１８】
ステップａ：基材上に、インクジェットヘッドはイメージＸ（image Ｘ）を印刷する
ステップｂ：インクジェットヘッドと該基材表面の距離を不変に保持し、少なくとも一  回、上述のイメージＸを双方向印刷する
ステップｃ：上述のステップ完成後、さらに該インクジェットヘッドは、上述の基材上のイメージＸ上に、イメージＸ’（image Ｘ’）を印刷する
１  基材
２  イメージＸ
３  イメージＸ’
【図１】
2020006667.tif 000003
【図２】
2020006667.tif 000004